(57)【要約】【課題】愛玩動物の皮膚を傷つけることなく、確実にアンダーコートの除去を行うことが可能なアンダーコート除去具を提供することを目的とする。【解決手段】本体部と、前記本体部の長手方向に対して略垂直に延びるように配設されたコームと、前記本体部の先端側において前記コームに並列して配設された、複数の溝を備えるブレードと、を具備し、前記コームの先端部が、前記ブレードの先端部より０．２ｍｍ〜１．０ｍｍ高くなるよう前記本体部に立設すること、を特徴とするアンダーコート除去具【選択図】図１
2019041610.tif 000002
【特許請求の範囲】
【請求項１】
本体部と、
前記本体部の長手方向に対して略垂直に延びるように配設されたコームと、
前記本体部の先端側において前記コームに並列して配設された、複数の溝を備えるブレードと、
を具備し、
前記コームの先端部が、前記ブレードの先端部より０．２ｍｍ〜１．０ｍｍ高くなるよう前記本体部に立設すること、
を特徴とするアンダーコート除去具。
【請求項２】
前記ブレードと、前記コームと、の離間距離が１．５ｍｍ〜３．５ｍｍであること、
を特徴とする請求項１に記載のアンダーコート除去具。
【請求項３】
前記コームが、前記本体部内に収納可能で、立設状態と収納状態とを変更可能であること、
を特徴とする請求項１又は２に記載のアンダーコート除去具。
【請求項４】
前記ブレードが、前記本体部内に収納可能で、立設状態と収納状態とを変更可能であること、
を特徴とする請求項１〜３のうちいずれかに記載のアンダーコート除去具。
【発明の詳細な説明】
【技術分野】
【０００１】
本発明は、ダブルコートの被毛構造を備える犬種及び描種のアンダーコート（下毛）を除去するアンダーコート除去具に関する。
【背景技術】
【０００２】
現在、人間が飼育する愛玩動物は犬及び猫が大部分を占めており、飼い主はそのケアの一つとして、被毛処理（グルーミング）を行うことが多い。なかでも、オーバーコート（上毛）と、アンダーコート（下毛）と、から構成されるダブルコートの被毛構造を備えた犬種及び描種では、アンダーコートが、主に寒季に生えて体温の保温を行い、暖季には不要となって抜け落ちる。
【０００３】
このため、アンダーコートを放置すると、愛玩動物の飼育場所周辺や接する人間の洋服等に飛散及び付着することになり、多くの飼い主は、より快適な共存生活を実現するためにも、このアンダーコートの処理を行っているのである。
【０００４】
これまで、把持部と頭部とを備え、当該頭部にブラシ等を具備した処理具等が一般的に用いられている。飼い主は当該処理具で愛玩動物の被毛をブラッシングすることにより、当該ブラシそのもの、またはブラシ間でアンダーコートを係合及び挟持させ、身体から除去していたる（例えば特許文献１参照）。
【先行技術文献】
【特許文献】
【０００５】
【特許文献１】実用新案登録第３１８２８７１号公報
【発明の概要】
【発明が解決しようとする課題】
【０００６】
しかしながら、上記特許文献１のような従来の処理具では、アンダーコートの除去中にブラシの先端が愛玩動物の皮膚に接触し、愛玩動物の皮膚を傷つけてしまう恐れがあった。また、愛玩動物も先端が尖ったブラシが皮膚に接触することで不快を感じ、大人しくアンダーコートの処理を受けてくれない問題があった。
【０００７】
そこで、処理具のブラシの構造に着目すると、ブラシの先端部を保護するものが備えられておらず、愛玩動物の皮膚への影響を考慮できていないこと明らかであって、未だ改善の余地があった。
【０００８】
そこで、本発明は、上記問題に鑑みて創作されたものであり、愛玩動物の皮膚を傷つけることなく、確実にアンダーコートの除去を行うことが可能なアンダーコート除去具を提供することを目的とする。
【課題を解決するための手段】
【０００９】
上記の課題を解決すべく、本発明は、
本体部と、
前記本体部の長手方向に対して略垂直に延びるように配設されたコームと、
前記本体部の先端側において前記コームに並列して配設された、複数の溝を備えるブレードと、
を具備し、
前記コームの先端部が、前記ブレードの先端部より０．２ｍｍ〜１．０ｍｍ高くなるよう前記本体部に立設すること、
を特徴とするアンダーコート除去具を提供する。
【００１０】
このような構成を有する本発明のアンダーコート除去具では、ブレードと、コームと、が並列に本体部に立設し、更にコームの先端部がブレードの先端よりも高い位置となる。これにより、コームが愛玩動物の皮膚に当接した状態で処理が行えるため、愛玩動物の皮膚にブレードが直接接触することがない。また、先端部から把持部側に向けて、ブレード及びコームの順番で配設されているため、コームの溝を通過したアンダーコートをブレードの溝で捕らえることができ、コームがブレードのアンダーコート除去能力を低下させることがなく、安全かつ確実にアンダーコートの除去を行うことができる。
【００１１】
また、本発明のアンダーコート除去具については、
前記ブレードと、前記コームと、の離間距離が１．５ｍｍ〜３．５ｍｍであることが望ましい。
【００１２】
このような構成を有する本発明のアンダーコート除去具では、ブレードとコームとの間に適度な空間が発生し、コームの第二溝を通過したアンダーコートを容易にブレードの第一溝に到達させることができる。
【００１３】
また、本発明のアンダーコート除去具については、更に、
前記コーム及び／又は前記ブレードが、本体部内に収納可能で、立設状態と収納状態とを変更可能であることが望ましい。
【００１４】
このような構成を有する本発明のアンダーコート除去具では、コーム及び／又はブレードを状況に応じて収納状態と、立設状態と、に変更することができる。例えば、通常はコームを立設状態にして愛玩動物のアンダーコートを除去し、コームを収納状態にすることで頭部全体のメンテナンス性を向上し、ブレードに付着したアンダーコートを容易に取り除くことができる。
【発明の効果】
【００１５】
本発明によれば、愛玩動物の皮膚を傷つけることなく、確実にアンダーコートの除去を行うことが可能なアンダーコート除去具を提供することができる。
【図面の簡単な説明】
【００１６】
【図１】本実施形態におけるアンダーコート除去具１の斜視図である。
【図２】図１における本体部３の構造を示す図であって、図２（ａ）は、本体部４の正面図であり、図２（ｂ）は、本体部３の一部を断面視した側面図である。
【図３】図１におけるブレード５の構造を示す図であって、図３（ａ）は、ブレード５を頭部３Ａ上方から見下げた平面図であり、図３（ｂ）は、ブレード５を頭部３Ａ側方から見て一部を断面視した側面図である。
【図４】図１におけるコーム７の構造を示す図であって、図４（ａ）は、コーム７を頭部３Ａ下方から見上げた平面図であり、図４（ｂ）は、コーム７を頭部３Ａ側方から見て一部を断面視した側面図である。
【図５】コーム７の収納構造を示す図であって、図５（ａ）は、コーム７の収納状態を示す断面図であり、図５（ｂ）は、蓋部２５を開けた状態を示す断面図であり、図５（ｃ）は、コーム７をブレード５と対向させた状態を示す断面図であり、図５（ｄ）は、蓋部２５を閉じた状態を示す断面図である。
【図６】本実施形態のアンダーコート除去具１を用いたアンダーコート５５の除去過程を示す図であって、図６（ａ）は、本実施形態のアンダーコート除去具１を愛玩動物の皮膚５１に当接しつつスライドする状態を示す模式図であり、図６（ｂ）は、ブレード５でアンダーコート５５を捕らえた状態を示す模式図である。
【発明を実施するための形態】
【００１７】
以下、図１〜６を参照しながら、本発明のアンダーコート除去具１における代表的な実施形態を詳細に説明する。但し、本発明は図示されるものに限られるものではなく、各図面は本発明を概念的に説明するためのものであるから、理解容易のために必要に応じて比や数を誇張又は簡略化して表している場合もある。更に、以下の説明では、同一又は相当部分には同一符号を付し、重複する説明は省略することもある。
【００１８】
１．アンダーコート除去具１の構造
図１を用いて本実施形態におけるアンダーコート除去具の概要について説明する。図１は、本実施形態におけるアンダーコート除去具１の斜視図である。
【００１９】
図１に示すとおり、本実施形態のアンダーコート除去具１は、愛玩動物、特にダブルコートの被毛構造を備える犬種及び描種のアンダーコート（下毛）を除去するためのペットケア用器具であって、愛玩動物の皮膚を傷付けることなく、安全かつ確実にアンダーコートを除去することができるものである。
【００２０】
本実施形態のアンダーコート除去具１は、概ね頭部３Ａと把持部３Ｂと首部３Ｃとから構成された本体部３と、頭部３Ａに配設され、アンダーコート５５の除去を行うブレード５と、ブレード５に対向して配設され、愛玩動物の皮膚５１に直接当接するコーム７と、から構成されている。
以下、各構成部分について説明する。
【００２１】
＜本体部３の構造＞
次に、図２（ａ）及び（ｂ）を用いて本体部３の構造について詳細に説明する。図２（ａ）及び（ｂ）は、本体部３の構造を示す図であって、図２（ａ）は、本体部４の正面図であり、図２（ｂ）は、本体部３の側面図である。図２（ａ）及び（ｂ）に示すとおり、本体部３は、概ね後述するブレード５及びコーム７等を具備する頭部３Ａと、使用者が操作時に把持する把持部３Ｂと、頭部３Ａと把持部３Ｂとを繋げる首部３Ｃと、から構成されている。
【００２２】
本体部３において、一部を除いて、頭部３Ａと把持部３Ｂと首部３Ｃとは、所望の硬度を有する樹脂等で一体的に成形されている。本体部３を構成する頭部３Ａ、把持部３Ｂ、及び首部３の形状についてより具体的に説明すると、頭部３Ａは、略扁平状の部位であって、後述するブレード５及びコーム７を配設するための凹部９が内側の略中央に備わっている。
【００２３】
凹部９は、ブレード５を頭部３Ａの内側の面に対して略垂直に立設固定し、更に、本実施形態では、コーム７を収納及びブレード５に対向して立設固定可能な大きさ及び形状を有している。
【００２４】
なお、凹部９の首部３Ｃ側には、凹部９表面の一部を閉じる略板状の蓋部２５が備わっている。この蓋部２５は、首部３Ｃ側の端部がヒンジになっており、ヒンジを軸に所定の範囲内で回胴自在となっている（図５参照）。
【００２５】
把持部３Ｂは、略棒状の部位であって、人間が手で把持した際に掌の中でよりフィットするように各部で太さに変化を付与している。また適度な突起やゴム等を配設して掌との摩擦帝抵抗を向上してもよい。
【００２６】
また、首部３Ｃは、頭部３Ａと把持部３Ｃとを接続する部位であって、把持部３Ｂと比して比較的縮径されている。首部３Ｃは、頭部３Ａに対して把持部３Ｂの下方を外側に傾斜させて接続している。これにより、頭部３Ａは操作時に適度な柔軟性を具備することができ、例えば愛玩動物の身体の形状に応じて適度に可動することができる。
【００２７】
また、頭部３Ａと把持部３Ｂとが接続され、頭部３Ａに対して把持部３Ｂの下方を外側に傾斜する構造を有しているため、使用者は把持部３Ｂを把持した操作で容易に頭部３Ａの内側を愛玩動物の皮膚に当接することができる。
【００２８】
＜ブレード５の構造＞
次に、図３（ａ）及び（ｂ）を用いてブレード５の構造を詳細に説明する。図３（ａ）及び（ｂ）は、ブレード５の構造を示す図であって、図３（ａ）は、ブレード５を頭部３Ａ上方から見下げた平面図であり、図３（ｂ）は、ブレード５を頭部３Ａ側方から見た側面図である。
【００２９】
図３（ａ）及び（ｂ）に示すとおり、ブレード５は略板状の部品であって、例えばステンレス等の耐蝕性を有する金属材料や、セラミックスを用いて形成することが望ましい。また、ブレード５は、先端側にテーパ１３を備えており、先端に向けて厚さが薄くなっている。
【００３０】
また、ブレード５は、刃先が本体部３の長手方向（図１における矢印Ｘの方向）に対して略垂直な方向（図１における矢印Ｚの方向）に向けて配設されており、本体部３の幅方向（図１における矢印Ｙの方向）に延設されている。
【００３１】
更に、ブレード５には、長手方向に対して先端側に抜ける第一溝１１が略等間隔で複数配列されており、第一溝１１が愛玩動物のアンダーコート５５と係合することにより、愛玩動物の身体からアンダーコート５５を除去することができる。なお、第一溝１１の数はブレード５の寸法や対象とする愛玩動物の大きさ等に応じて適宜決定すればよい。
【００３２】
上記ブレード５は、第一溝１１を配設した先端側を外部に突出させつつ、後端側を本体部３の頭部３Ａが具備した凹部９に挿入しつつ固定されている。また、本実施形態では、頭部３Ａの凹部９近傍にブレード５の支持を補助する補助リブ１５が配設されており、当該ブレード５の移動及び傾きを防止している。
【００３３】
なお、ブレード５と凹部９との固定方法は、例えば螺子等を用いて着脱自在とし、使用による劣化状況に応じて当該ブレード５の交換を可能とすることが望ましい。
【００３４】
＜コーム７の構造＞
続いて、図４（ａ）及び（ｂ）を用いてコーム７の構造を詳細に説明する。図４（ａ）及び（ｂ）は、コーム７の構造を示す図であって、図４（ａ）は、コーム７を頭部３Ａ下方から見上げた平面図であり、図４（ｂ）は、コーム７を頭部３Ａ側方から見た側面図である。
【００３５】
図４（ａ）及び（ｂ）に示すとおり、コーム７は上記ブレード５と略同様に板状の部品であって、所定の硬度を有した樹脂材料で形成されている。また、コーム７は、本体部３の長手方向（図１における矢印Ｘの方向）に対して略垂直な方向（図１における矢印Ｚの方向）に向けて配設されており、本体部３の幅方向（図１における矢印Ｙの方向）に延設されている。立設状態においてコーム７はブレード５と並列している。
【００３６】
また、コーム７は、一方の長手方向の面（図４（ｂ）におけるコーム７の右側の面）に、図４（ｂ）に図示する後端側から先端側に向かう円弧状の傾斜を備えており、後端側から先端側に向けて厚さが薄くなっている。
【００３７】
更に、コーム７には、長手方向に対して先端側に抜ける第二溝１７が略等間隔で複数配列されており、第二溝１７を愛玩動物のアンダーコート５５が通過することによって、アンダーコート５５がブレード５の第一溝１１に到達することができる。なお、第二溝１７の数は、コーム７の長手方向の寸法、対象とする愛玩動物の大きさ、並びに、ブレード５の構成等に応じて適宜決定すればよい。
【００３８】
コーム７は、後端側が頭部３Ａの凹部９に接続され、当該後端側の接続部を軸に、所定の範囲内で回胴自在となっている。より具体的には、コーム７を頭部３Ａの内側表面と略平行に配置した際、コーム７全体が凹部９内に収納され、頭部３Ａの内側表面に対して略垂直に配置した際、コーム７がブレード５と対向する。
【００３９】
コーム７の先端部は、ブレード５の先端部と比して０．２ｍｍ〜１．０ｍｍ、より好ましくは０．４ｍｍ〜０．７ｍｍ高く配設することが望ましい。コーム７の先端部がブレード５の先端部より高く配設されることで、愛玩動物の皮膚５１にコーム７の先端部が先に当接し、皮膚５１に対するブレード５の接触を抑制することができる。
【００４０】
また、本実施形態では、ブレード５とコーム７との間に所定の板厚を有した距離保持板２１が配設されており、距離保持板２１の板厚寸法分ブレード５とコーム７との間にクリアランスを持たせる構造となっている。距離保持板２１の厚さ寸法（＝クリアランス）は、１．５ｍｍ〜３．５ｍｍ、より好ましくは２．０ｍｍ〜２．８ｍｍとすることが望ましい。
【００４１】
上記のようなクリアランスによって、ブレード５とコーム７との間に空間２３が形成され、該空間２３内で愛玩動物のアンダーコート５５が立設し、より確実にブレード５の第一第一溝１１がアンダーコート５５を確実に捕らえることができる。
【００４２】
＜コーム７の収納構造＞
次に、図５（ａ）（ｂ）（ｃ）（ｄ）を用いて、コーム７の収納構造について詳細に説明する。図５（ａ）（ｂ）（ｃ）（ｄ）は、コーム７の収納構造を示す図であって、図５（ａ）は、コーム７の収納状態を示す断面図であり、図５（ｂ）は、蓋部２５を開けた状態を示す断面図であり、図５（ｃ）は、コーム７をブレード５と対向させた状態を示す断面図であり、図５（ｄ）は、蓋部２５を閉じた状態を示す断面図である。
【００４３】
まず、図５（ａ）に示すとおりコーム７は、凹部９内に収納された状態では、蓋部２５により上方から押さえられつつ固定されている。蓋部２５は、上述のとおり、首部３Ｃ側の端部がヒンジになっており、このヒンジを軸に所定の範囲内で回胴自在となっている。本実施形態では、凹部９内にコーム７を収納し、蓋部２５を凹部９側に倒してコーム７の上方から重ねることで蓋部２５の表面が頭部３Ａの内側表面と略面一になる。
【００４４】
次に、図５（ｂ）に示すとおり、蓋部２５を自身のヒンジを軸に頭部３Ａの内側表面から立設させ、凹部９内に収納したコーム７を露出させる。続いて、図５（ｃ）に示すとおり、コーム７の先端を持ち上げて立設させ、ブレード５と対向させた後、更に図５（ｄ）に示すように蓋部２５を再度頭部３Ａの内側表面に倒し、蓋部２５の先端側に設けた支持リブ２７をコーム７の側面に当接させて該コーム７を立設させた状態で固定する。
【００４５】
上述のとおり、本実施形態では、コーム７は収納状態と、立設状態と、を状況に応じて使用者が任意に変更することができる。例えば、通常はコーム７を立設状態にして愛玩動物のアンダーコート５５を除去し、コーム７を収納状態にすることで頭部３Ａ全体のメンテナンス性を向上し、ブレード５に付着したアンダーコート５５を容易に取り除くことができる。
【００４６】
２．アンダーコート除去具１の使用方法
次に、図６（ａ）及び（ｂ）を用いて、本実施形態のアンダーコート除去具１を用いたアンダーコート５５の除去方法を詳細に説明する。図６（ａ）及び（ｂ）は、本実施形態のアンダーコート除去具１を用いたアンダーコート５５の除去過程を示す図であって、図６（ａ）は、本実施形態のアンダーコート除去具１を愛玩動物の皮膚５１に当接しつつスライドする状態を示す模式図であり、図６（ｂ）は、ブレード５でアンダーコート５５を捕らえた状態を示す模式図である。
【００４７】
まず、図６（ａ）に示すとおり、使用者は本実施形態のアンダーコート除去具１の把持部３Ｂを把持し、コーム７を立設状態にしてブレード５に対向させる。この状態で頭部３Ａの内側を愛玩動物の体に接近させ、コーム７の先端を皮膚５１に当接させる。
【００４８】
続いて使用者は本アンダーコート除去具１を手前（図１に示す矢印Ｘの向き）にスライドさせる。これにより、愛玩動物のオーバーコート５３及びアンダーコート５５がコーム７の第二溝１７を通過し、ブレード５に当接する。
【００４９】
続いて、コーム７を通過したオーバーコート５３及びアンダーコート５５のうち、図６（ｂ）に示すとおり、オーバーコート５３は、ブレード５の第一溝１１を通過し、アンダーコート５５のみがブレード５に係合して捕えられ、カットされる。
【００５０】
第一溝１１が所定量のアンダーコート５５を捕らえて除去するまで上記のようなアンダーコート除去具１のスライド操作を繰り返す。このようにして愛玩動物の被毛ケアを行うことができる。
【００５１】
以上、本実施形態におけるアンダーコート除去具の代表的な実施形態について図面を参照しつつ説明してきたが、本発明は、これらの実施形態に限定されるものではなく、特許請求の範囲の記載の精神及び教示を逸脱しない範囲でその他の変形例や改良例が存在し、これらは全て本発明の技術的範囲に含まれる。
【産業上の利用可能性】
【００５２】
本実施形態におけるアンダーコート除去具は、愛玩動物の皮膚を傷つけることなく、確実にアンダーコートの除去を行うことができるものである。
【符号の説明】
【００５３】
１      アンダーコート除去具
３      本体部
３Ａ    頭部
３Ｂ    把持部
３Ｃ    首部
５      ブレード
７      コーム
９      凹部
１１    第一溝
１３    テーパ
１５    補助リブ
１７    第二溝
１９    接続部
２１    距離保持板
２３    空間
２５    蓋部
２７    支持リブ
５１    皮膚
５３    オーバーコート
５５    アンダーコート
【図１】
2019041610.tif 000003
【図２】
2019041610.tif 000004
【図３】
2019041610.tif 000005
【図４】
2019041610.tif 000006
【図５】
2019041610.tif 000007
【図６】
2019041610.tif 000008